(57)【特許請求の範囲】
【請求項１】
回路図情報を入力する入力部と、
部品の種類及び部品が扱う信号の種類を含んでなるＥＭＣ情報を格納するＥＭＣ情報格納部と、
前記ＥＭＣ情報格納部から読み出したＥＭＣ情報を部品の種類に基づいて分類し、前記部品の種類に基づいて分類されたＥＭＣ情報と前記入力部より入力された回路図情報とからなる第１のネットリストを作成するネットリスト作成部と、
前記ネットリスト作成部により作成された前記第１のネットリストに基づいて回路図を作成する回路図作成部と、
前記回路図作成部により作成された回路図を出力する出力部と、
入力されたＥＭＣに対して注意が必要な部品の特定条件に基づいて前記第１のネットリストにおけるＥＭＣに対して注意が必要な部品を特定し選択する部品選択部とを備え、
前記ネットリスト作成部は、前記第１のネットリストから、前記部品選択部により選択されたＥＭＣに対して注意が必要な部品に接続される系統を第２のネットリストとして抽出し、
前記回路図作成部は、前記ネットリスト作成部により作成された前記第２のネットリストに基づいて回路図を作成するプリント基板の回路図設計装置。
【請求項２】
部品選択部は、入力部より入力されたＥＭＣに対して注意が必要な部品における必要度合を示すランクに基づいて、ＥＭＣに対して注意が必要な部品を分類して選択し、
ネットリスト作成部は、部品選択部により選択されたＥＭＣに対して注意が必要な部品に基づいて、第１のネットリストから前記ランクごとの第２のネットリストを抽出し、
回路図作成部は、前記ランクごとの第２のネットリストに基づいて、前記ランクが目視により識別できる回路図を作成することを特徴とする請求項１記載のプリント基板の回路図設計装置。
【請求項３】
ＥＭＣ情報格納部は、部品リストを格納し、
部品選択部は、特定したＥＭＣに対して注意が必要な部品に基づいて、前記部品リストから選択処理を行うことを特徴とする請求項１記載のプリント基板の回路図設計装置。
【請求項４】
入力部は、部品選択部により特定されたＥＭＣに対して注意が必要な部品の選択条件の入力を受け付け、
前記部品選択部は、入力部より入力された前記選択条件に基づいて、ＥＭＣに対して注意が必要な部品の選択を行うことを特徴とする請求項１記載のプリント基板の回路図設計装置。
【請求項５】
ＥＭＣ情報格納部は、部品リストを格納し、
部品選択部は、前記部品リストを参照してＥＭＣに対して注意が必要な部品を選択処理できるか否かを判断し、
回路図作成部は、前記部品選択部により前記部品リストを参照してＥＭＣに対して注意が必要な部品を選択処理できないと判断された場合、ＥＭＣに対処するための対策情報を作成し、
出力部は、前記回路図作成部により作成されたＥＭＣに対処するための対策情報を出力することを特徴とする請求項１記載のプリント基板の回路図設計装置。
【請求項６】
請求項１から請求項５のうちのいずれか１項記載のプリント基板の回路図設計装置としてコンピュータを機能させるプリント基板の回路図設計プログラム。
【発明の詳細な説明】
【０００１】
【発明の属する技術分野】
この発明は、プリント基板の回路図を設計する工程において、ＥＭＣ（ＥｌｅｃｔｒｏＭａｇｎｅｔｉｃ  Ｃｏｍｐａｔｉｂｉｌｉｔｙ：電磁環境適合性）に対して注意が必要な部品の選定を支援するプリント基板の回路図設計装置、回路図設計方法、および回路図設計プログラムに関するものである。
【０００２】
【従来の技術】
図９は、従来のプリント基板の回路図設計方法を示すフローチャートであり、特開平９−５０４５６号公報に開示されたプリント基板に配置すべき電子部品の自動配置配線決定方法を示すフローチャートである。
【０００３】
次に動作について説明する。
先ず、ステップＳＴ１０１において、プリント基板に配置すべき電子部品の情報に基づいて、配置対象になる電子部品が存在するか否かを確認し、残っていなければ処理を終了し、残っていればステップＳＴ１０２に進む。次に、ステップＳＴ１０２において、設計に関する情報に従って、プリント基板に電子部品を配置する。次に、ステップＳＴ１０３において、配線条件が予め指定されているペア部品の情報を参照することによって、現在対象になっている電子部品が予め指定されたペア部品であるか否かを確認し、ペア部品であればペア部品の一つの情報として取得しステップＳＴ１０４に進み、ペア部品でなければステップＳＴ１０６に進む。
【０００４】
次に、ステップＳＴ１０４において、前記ペア部品の相手側になるペア部品が配置されているか否かを検索し、相手側になるペア部品がなければステップＳＴ１０６に進み、相手側になるペア部品があればステップＳＴ１０５に進む。次に、ステップＳＴ１０５において、前記ペア部品と、その相手側になるペア部品とを強調して表示する。次に、ステップＳＴ１０６において、プリント基板に配置すべき電子部品の情報に基づいて、配置対象になる電子部品が存在するか否かを確認し、残っていなければ処理を終了し、残っていればステップＳＴ１０２に進む。
【０００５】
以上説明したように従来のプリント基板の回路図設計方法は、ＥＭＣに対して注意が必要な電子部品と、その相手側の電子部品とをペア部品として予め登録し、ペア部品の情報に基づいて電子部品の配置に優先順位をつけることによって、ノイズ低減を考慮した電子部品の自動配置を可能にしている。
【０００６】
【発明が解決しようとする課題】
従来のプリント基板の回路図設計方法は以上のように構成されているので、ＥＭＣに対して注意が必要な電子部品とその相手側の電子部品の選定を、事前に回路設計者やオペレータが判断して登録しておく必要があり、回路規模が大きい場合には、電子部品の数が多くなるので、ＥＭＣに対して注意が必要な電子部品の選定に長い期間を要したり、ＥＭＣに対して注意が必要な電子部品の登録漏れが発生したりする等の課題があった。
【０００７】
この発明は上記のような課題を解決するためになされたもので、プリント基板の回路図を設計する工程で行われる電子部品やコネクタ部品等の部品の選定において、ＥＭＣに対して注意が必要な部品の選定を支援するプリント基板の回路図設計装置、回路図設計方法、および回路図設計プログラムを得ることを目的とする。
【００１０】
【課題を解決するための手段】
この発明に係るプリント基板の回路図設計装置は、回路図情報を入力する入力部と、部品の種類及び部品が扱う信号の種類を含んでなるＥＭＣ情報を格納するＥＭＣ情報格納部と、前記ＥＭＣ情報格納部から読み出したＥＭＣ情報を部品の種類に基づいて分類し、前記部品の種類に基づいて分類されたＥＭＣ情報と前記入力部より入力された回路図情報とからなる第１のネットリストを作成するネットリスト作成部と、前記ネットリスト作成部により作成された前記第１のネットリストに基づいて回路図を作成する回路図作成部と、前記回路図作成部により作成された回路図を出力する出力部と、入力されたＥＭＣに対して注意が必要な部品の特定条件に基づいて前記第１のネットリストにおけるＥＭＣに対して注意が必要な部品を特定し選択する部品選択部とを備え、前記ネットリスト作成部は、前記第１のネットリストから、前記部品選択部により選択されたＥＭＣに対して注意が必要な部品に接続される系統を第２のネットリストとして抽出し、前記回路図作成部は、前記ネットリスト作成部により作成された前記第２のネットリストに基づいて回路図を作成するものである。
【００１１】
この発明に係るプリント基板の回路図設計装置は、部品選択部が、入力部より入力されたＥＭＣに対して注意が必要な部品における必要度合を示すランクに基づいて、ＥＭＣに対して注意が必要な部品を分類して選択し、ネットリスト作成部が、部品選択部により選択されたＥＭＣに対して注意が必要な部品に基づいて、第１のネットリストから前記ランクごとの第２のネットリストを抽出し、回路図作成部が、前記ランクごとの第２のネットリストに基づいて、前記ランクが目視により識別できる回路図を作成するものである。
【００１２】
この発明に係るプリント基板の回路図設計装置は、ＥＭＣ情報格納部が、部品リストを格納し、部品選択部が、特定したＥＭＣに対して注意が必要な部品に基づいて、前記部品リストから選択処理を行うものである。
【００１３】
この発明に係るプリント基板の回路図設計装置は、入力部が、部品選択部により特定されたＥＭＣに対して注意が必要な部品の選択条件の入力を受け付け、前記部品選択部が、入力部より入力された前記選択条件に基づいて、ＥＭＣに対して注意が必要な部品の選択を行うものである。
【００１４】
この発明に係るプリント基板の回路図設計装置は、ＥＭＣ情報格納部が、部品リストを格納し、部品選択部が、前記部品リストを参照してＥＭＣに対して注意が必要な部品を選択処理できるか否かを判断し、回路図作成部が、前記部品選択部により前記部品リストを参照してＥＭＣに対して注意が必要な部品を選択処理できないと判断された場合、ＥＭＣに対処するための対策情報を作成し、出力部が、前記回路図作成部により作成されたＥＭＣに対処するための対策情報を出力するものである。
【００１５】
この発明に係るプリント基板の回路図設計プログラムは、上記プリント基板の回路図設計装置としてコンピュータを機能させるものである。
【００１６】
【発明の実施の形態】
以下、この発明の実施の一形態を説明する。
実施の形態１．
図１は、この発明の実施の形態１によるプリント基板の回路図設計装置の構成を示すブロック図である。図１において、１は回路図の入力や部品の選択操作等を行う入力部、２は回路図の設計作業を行う回路図処理部、３は回路図処理部２が設計した回路図や回路の接続状況を表すネットリスト等を例えばモニタ等に出力する出力部、４はＥＭＣを検討する際に必要となる部品の種類，部品の電気特性，部品の物理形状等のようなパラメータをＥＭＣ情報として入力するＥＭＣ情報入力部、５はＥＭＣ情報入力部４から入力されたＥＭＣ情報を格納し回路図処理部２にＥＭＣ情報を提供するＥＭＣ情報格納部である。
【００１７】
また、図１において、６は入力部１から入力する回路図及びＥＭＣ情報格納部５から得られるＥＭＣ情報に従ってネットリストを作成するネットリスト作成部（ネットリスト作成手段）、７はネットリスト作成部６が作成したネットリストから部品の選択やＥＭＣに対して注意が必要な部品や配線を選択する部品選択部（部品選択手段）、８はネットリスト作成部６が作成したネットリストと、部品選択部７が選択した部品や配線とに基づいて回路図を作成する回路図作成部（回路図作成手段）である。
【００１８】
図２は、この発明の実施の形態１におけるＥＭＣ情報の一例を示す説明図である。図２に示されたように、ＥＭＣ情報入力部４から入力されるＥＭＣ情報は、部品の種類，信号の種類，信号の送受，電流の流れ等の情報を含んでいる。図３は、この発明の実施の形態１によるプリント基板の回路図設計方法を示すフローチャートである。
【００１９】
次に動作について説明する。
プリント基板の回路図を設計する工程において、回路設計者は、回路を構成する部品の選定・登録に加え、ＥＭＣ情報入力部４から図２に示されたＥＭＣ情報を入力する。次に、ステップＳＴ１において、ネットリスト作成部６はＥＭＣ情報格納部５からＥＭＣ情報を読込む。次に、ステップＳＴ２において、読込んだＥＭＣ情報を信号の種類に応じて分類する。次に、ステップＳＴ３において、回路図処理部２のネットリスト作成部６が、信号に対するネットリスト（第１のネットリスト）を作成する。次に、ステップＳＴ４において、回路図処理部２の回路図作成部８が、ネットリスト作成部６が作成したネットリストに基づいて信号に対する回路図を作成し、出力部３が例えばモニタやプリンタ等に回路図を出力する。
【００２０】
以上のように、この実施の形態１によれば、ＥＭＣ情報を読込むステップと、ＥＭＣ情報を信号の種類に応じて分類するステップと、分類した信号に対するネットリストを作成するステップと、作成したネットリストに基づいて信号に対する回路図を作成し出力するステップとを有するようにしたので、出力した回路図により信号の流れが容易に理解できると共に、ＥＭＣに対して注意が必要な部品の選定が容易に実施できるという効果が得られる。
【００２１】
実施の形態２．
この発明の実施の形態２によるプリント基板の回路図設計装置の構成は、図１に示された実施の形態１によるプリント基板の回路図設計装置の構成と同一であるのでその説明を省略する。図４は、この発明の実施の形態２によるプリント基板の回路図設計方法を示すフローチャートである。図４において、図３と同一符号は同一または相当部分を示すのでその説明を省略する。
【００２２】
次に動作について説明する。
プリント基板の回路図を設計する工程において、回路設計者は、回路を構成する部品の選定・登録に加え、ＥＭＣ情報入力部４から図２に示されたＥＭＣ情報を入力する。次に、実施の形態１において示されたステップＳＴ１〜ステップＳＴ３の動作を行う。但し、ステップＳＴ２は、ＥＭＣ情報を部品の種類に応じて分類する点で、図３にＳＴ２の符号を付して示したステップとは異なり、更に、ステップＳＴ３は、部品に対するネットリスト（第１のネットリスト）を作成する点で、図３にＳＴ３の符号を付して示したステップとは異なる。
【００２３】
次に、ステップＳＴ１１において、ネットリスト作成部６が作成したネットリストに対して、ＥＭＣに対して注意が必要な部品の特定条件（例えば信号の周波数や立上がり／立下り時間など）を、入力部１から回路図処理部２の部品選択部７に入力する。次に、ステップＳＴ１２において、入力した特定条件に基づいて、部品選択部７がＥＭＣに対して注意が必要な部品を特定する。部品選択部７が特定したＥＭＣに対して注意が必要な部品の情報は、ネットリスト作成部６に出力される。ネットリスト作成部６は、部品選択部７が出力した情報に基づいてネットリスト（第２のネットリスト）を作成し、回路図作成部８に出力する。回路図作成部８は、ネットリスト作成部６が作成したネットリストに基づいて回路図を作成し、出力部３が例えばモニタやプリンタ等に回路図を出力する。
【００２４】
以上のように、この実施の形態２によれば、ＥＭＣに対して注意が必要な部品の特定条件を入力するステップと、入力した特定条件に基づいてＥＭＣに対して注意が必要な部品を特定するステップと、ＥＭＣに対して注意が必要な部品の情報に基づいてネットリスト及び回路図を作成し出力するステップとを有するようにしたので、ＥＭＣに対して注意が必要な部品を特定する作業が容易に実施できるという効果が得られる。
【００２５】
実施の形態３．
この発明の実施の形態３によるプリント基板の回路図設計装置の構成は、図１に示された実施の形態１によるプリント基板の回路図設計装置の構成と同一であるのでその説明を省略する。図５は、この発明の実施の形態３によるプリント基板の回路図設計方法を示すフローチャートである。図５において、図４と同一符号は同一または相当部分を示すのでその説明を省略する。
【００２６】
次に動作について説明する。
プリント基板の回路図を設計する工程において、回路設計者は、回路を構成する部品の選定・登録に加え、ＥＭＣ情報入力部４から図２に示されたＥＭＣ情報を入力する。次に、実施の形態２において示されたステップＳＴ１〜ステップＳＴ３，ステップＳＴ１１の動作を行う。次に、ステップＳＴ２１において、ＥＭＣに対して注意が必要な部品における必要の度合いを表すためのランクを入力部１から回路図処理部２の部品選択部７に入力する。次に、ステップＳＴ２２において、入力したランクに基づいて、部品選択部７がＥＭＣに対して注意が必要な部品を分類する。部品選択部７が分類したＥＭＣに対して注意が必要な部品の情報は、ネットリスト作成部６に出力される。ネットリスト作成部６は、部品選択部７が出力した情報に基づいてネットリスト（第２のネットリスト）を作成し、回路図作成部８に出力する。回路図作成部８は、ネットリスト作成部６が作成したネットリストに基づいてランクに応じて色分けされた回路図を作成し、出力部３が例えばモニタやプリンタ等に回路図を出力する。
【００２７】
以上のように、この実施の形態３によれば、ＥＭＣに対して注意が必要な部品のランクを入力するステップと、入力したランクに基づいてＥＭＣに対して注意が必要な部品を分類するステップと、分類されたＥＭＣに対して注意が必要な部品に基づいてネットリストを作成するステップと、作成されたネットリストに基づいてランクに応じて色分けされた回路図を作成し出力するステップとを有するようにしたので、ＥＭＣに対して注意が必要な部品を挿入する配線の選択作業が軽減されるという効果が得られる。
【００２８】
なお、この実施の形態３において、ランクに応じて色分けされた回路図を出力するステップを有するが、これに限られるものではなく、ランクに応じて数字を付加する等のように、目視により識別できる方法で回路図が作成されていればよい。
【００２９】
実施の形態４．
この発明の実施の形態４によるプリント基板の回路図設計装置の構成は、図１に示された実施の形態１によるプリント基板の回路図設計装置の構成と同一であるのでその説明を省略する。図６は、この発明の実施の形態４によるプリント基板の回路図設計方法を示すフローチャートである。図６において、図４と同一符号は同一または相当部分を示すのでその説明を省略する。
【００３０】
次に動作について説明する。
プリント基板の回路図を設計する工程において、回路設計者は、回路を構成する部品の選定・登録に加え、ＥＭＣ情報入力部４から図２に示されたＥＭＣ情報を入力する。次に、実施の形態２において示されたステップＳＴ１〜ステップＳＴ３，ステップＳＴ１１〜ステップＳＴ１２の動作を行う。次に、ステップＳＴ３１において、部品選択部７が特定したＥＭＣに対して注意が必要な部品の情報に基づいて、部品選択部７が回路設計者により予め用意されたＥＭＣ情報格納部５の部品リストから部品を選択する選択処理を行う。
【００３１】
以上のように、この実施の形態４によれば、ＥＭＣに対して注意が必要な部品の情報に基づいて、予め用意されたＥＭＣ情報格納部５の部品リストから選択処理を行うステップを有するようにしたので、例えばノイズ発生量が少ない部品やシールド効果がある部品等を判断基準を設けて選択することができるから、ＥＭＣに対して注意が必要な部品を選定する作業が容易に実施できるという効果が得られる。
【００３２】
実施の形態５．
この発明の実施の形態５によるプリント基板の回路図設計装置の構成は、図１に示された実施の形態１によるプリント基板の回路図設計装置の構成と同一であるのでその説明を省略する。図７は、この発明の実施の形態５によるプリント基板の回路図設計方法を示すフローチャートである。図７において、図４と同一符号は同一または相当部分を示すのでその説明を省略する。
【００３３】
次に動作について説明する。
プリント基板の回路図を設計する工程において、回路設計者は、回路を構成する部品の選定・登録に加え、ＥＭＣ情報入力部４から図２に示されたＥＭＣ情報を入力する。次に、実施の形態２において示されたステップＳＴ１〜ステップＳＴ３，ステップＳＴ１１〜ステップＳＴ１２の動作を行う。次に、ステップＳＴ４１において、部品選択部７が特定したＥＭＣに対して注意が必要な部品に対して、部品の動作特性などの選択条件を入力部１から部品選択部７に入力する。ここで、部品の動作特性などの選択条件とは、例えばデータ信号などの波形整形を行うバッファ回路では、整形する波形の立上がり／立下り時間が選択条件となり、ノイズを抑制するために立上がり／立下り時間の長い部品を選択するように定める。次に、ステップＳＴ４２において、入力された部品の選択条件に基づいて、部品選択部７が自動的に部品の選択を行う。
【００３４】
以上のように、この実施の形態５によれば、ＥＭＣに対して注意が必要な部品に対して選択条件を入力するステップと、入力した選択条件に基づいて自動的に部品の選択を行うステップとを有するようにしたので、ＥＭＣに対して注意が必要な部品を選定する作業が自動化できるという効果が得られる。
【００３５】
実施の形態６．
この発明の実施の形態６によるプリント基板の回路図設計装置の構成は、図１に示された実施の形態１によるプリント基板の回路図設計装置の構成と同一であるのでその説明を省略する。図８は、この発明の実施の形態６によるプリント基板の回路図設計方法を示すフローチャートである。図８において、図４と同一符号は同一または相当部分を示すのでその説明を省略する。
【００３６】
次に動作について説明する。
プリント基板の回路図を設計する工程において、回路設計者は、回路を構成する部品の選定・登録に加え、ＥＭＣ情報入力部４から図２に示されたＥＭＣ情報を入力する。次に、実施の形態２において示されたステップＳＴ１〜ステップＳＴ３，ステップＳＴ１１〜ステップＳＴ１２の動作を行う。次に、ステップＳＴ５１において、部品選択部７が特定したＥＭＣに対して注意が必要な部品をＥＭＣ情報格納部５の部品リストから選択処理できるか否かを判断し、選択処理できる場合には処理を終了し、選択処理できない場合にはステップＳＴ５２に進む。次に、ステップＳＴ５２において、ＥＭＣに対処するための対策情報を作成し、それを例えば機構設計などのプリント基板設計の前段階に伝えられるように、出力部３が例えばモニタやプリンタ等に対策情報を出力する。対策情報とは、例えばコネクタ部品において適当な部品がない場合に、必要なシールド構造やアースとの接続方法等を含む情報である。
【００３７】
以上のように、この実施の形態６によれば、ＥＭＣに対して注意が必要な部品をＥＭＣ情報格納部５の部品リストを参照して選択処理できるか否かを判断するステップと、ＥＭＣに対処するための対策情報を作成し出力するステップとを有するようにしたので、構造の変更等によるＥＭＣ対策を可能にすると共に、ＥＭＣ対策手段を多くすることができるという効果が得られる。
【００３８】
【発明の効果】
以上のように、この発明によれば、ＥＭＣ情報に基づいて第１のネットリストを作成するネットリスト作成手段と、ネットリスト作成手段が作成した第１のネットリストに基づいてＥＭＣに対して注意が必要な部品を選択する部品選択手段と、ネットリスト作成手段が作成した第１のネットリストに基づいて回路図を作成する回路図作成手段とを備えるように構成したので、作成した回路図により信号の流れが容易に理解できると共に、ＥＭＣに対して注意が必要な部品の選定が容易に実施できるという効果が得られる。
【００３９】
この発明によれば、ＥＭＣ情報を読込むステップと、ＥＭＣ情報を信号に基づいて分類するステップと、分類したＥＭＣ情報における信号に対する第１のネットリストを作成するステップと、第１のネットリストに基づいて回路図を作成し出力するステップとを有するように構成したので、出力した回路図により信号の流れが容易に理解できると共に、ＥＭＣに対して注意が必要な部品の選定が容易に実施できるという効果が得られる。
【００４０】
この発明によれば、ＥＭＣ情報を読込むステップと、ＥＭＣ情報を部品に基づいて分類するステップと、分類したＥＭＣ情報における部品に対する第１のネットリストを作成するステップと、ＥＭＣに対して注意が必要な部品の特定条件を入力するステップと、特定条件に基づいてＥＭＣに対して注意が必要な部品を特定するステップと、特定したＥＭＣに対して注意が必要な部品に基づいて第２のネットリストを作成するステップと、第２のネットリストに基づいて回路図を作成し出力するステップとを有するように構成したので、ＥＭＣに対して注意が必要な部品を特定する作業が容易に実施できるという効果が得られる。また、ＥＭＣに対して注意が必要な部品を特定する作業が容易に実施できるコンピュータで実行可能なプログラムを得ることができるという効果が得られる。
【００４１】
この発明によれば、ＥＭＣ情報を読込むステップと、ＥＭＣ情報を部品に基づいて分類するステップと、分類したＥＭＣ情報における部品に対する第１のネットリストを作成するステップと、ＥＭＣに対して注意が必要な部品の特定条件を入力するステップと、ＥＭＣに対して注意が必要な部品のランクを入力するステップと、ランクに基づいてＥＭＣに対して注意が必要な部品を分類するステップと、分類されたＥＭＣに対して注意が必要な部品に基づいて第２のネットリストを作成するステップと、第２のネットリストに基づいてランクが目視により識別できる回路図を作成し出力するステップとを有するように構成したので、ＥＭＣに対して注意が必要な部品を挿入する配線の選択作業が軽減されるという効果が得られる。
【００４２】
この発明によれば、特定したＥＭＣに対して注意が必要な部品に基づいて、部品リストから選択処理を行うステップを有するように構成したので、判断基準を設けて部品を選択することができるから、ＥＭＣに対して注意が必要な部品を選定する作業が容易に実施できるという効果が得られる。
【００４３】
この発明によれば、特定したＥＭＣに対して注意が必要な部品に対して選択条件を入力するステップと、選択条件に基づいてＥＭＣに対して注意が必要な部品の選択を行うステップとを有するように構成したので、ＥＭＣに対して注意が必要な部品を選定する作業が自動化できるという効果が得られる。
【００４４】
この発明によれば、ＥＭＣに対して注意が必要な部品を部品リストを参照して選択処理できるか否かを判断するステップと、ＥＭＣに対処するための対策情報を作成し出力するステップとを有するように構成したので、構造の変更等によるＥＭＣ対策を可能にすると共に、ＥＭＣ対策手段を多くすることができるという効果が得られる。
【図面の簡単な説明】
【図１】  この発明の実施の形態１によるプリント基板の回路図設計装置の構成を示すブロック図である。
【図２】  この発明の実施の形態１におけるＥＭＣ情報の一例を示す説明図である。
【図３】  この発明の実施の形態１によるプリント基板の回路図設計方法を示すフローチャートである。
【図４】  この発明の実施の形態２によるプリント基板の回路図設計方法を示すフローチャートである。
【図５】  この発明の実施の形態３によるプリント基板の回路図設計方法を示すフローチャートである。
【図６】  この発明の実施の形態４によるプリント基板の回路図設計方法を示すフローチャートである。
【図７】  この発明の実施の形態５によるプリント基板の回路図設計方法を示すフローチャートである。
【図８】  この発明の実施の形態６によるプリント基板の回路図設計方法を示すフローチャートである。
【図９】  従来のプリント基板の回路図設計方法を示すフローチャートである。
【符号の説明】
１  入力部、２  回路図処理部、３  出力部、４  ＥＭＣ情報入力部、５  ＥＭＣ情報格納部、６  ネットリスト作成部（ネットリスト作成手段）、７  部品選択部（部品選択手段）、８  回路図作成部（回路図作成手段）。
【図１】
0003886745.tif 000002
【図２】
0003886745.tif 000003
【図３】
0003886745.tif 000004
【図４】
0003886745.tif 000005
【図５】
0003886745.tif 000006
【図６】
0003886745.tif 000007
【図７】
0003886745.tif 000008
【図８】
0003886745.tif 000009
【図９】
0003886745.tif 000010